(57)【特許請求の範囲】
【請求項１】
複数のＲＦＩＤタグを組み込んだシート状の電波透過素材からなるＲＦＩＤタグシートであって、
当該ＲＦＩＤタグシートの表面に前記各ＲＦＩＤタグの全部もしくは一部をそれぞれ覆い隠す状態で着脱可能に装着された遮蔽部材を有し、
前記遮蔽部材は、前記ＲＦＩＤタグとリーダ装置との間の通信に用いられる電磁波を遮蔽する素材からなる、ＲＦＩＤタグシート。
【請求項２】
請求項１に記載のＲＦＩＤタグシートにおいて、
前記遮蔽部材は、当該ＲＦＩＤタグシートの表面において貼付と剥離が可能なシール状の部材により構成される、ＲＦＩＤタグシート。
【請求項３】
請求項１または２に記載のＲＦＩＤタグシートにおいて、
前記遮蔽部材の表面、および当該ＲＦＩＤタグシートにおいて前記遮蔽部材が装着されている部分には、前記遮蔽部材が覆い隠している前記ＲＦＩＤタグにより識別される情報を示す内容が表示されている、ＲＦＩＤタグシート。
【請求項４】
請求項１〜３のいずれか１項に記載のＲＦＩＤタグシートを用いて情報の入力を受け付ける情報入力システムであって、
前記ＲＦＩＤタグシートに組み込まれた前記各ＲＦＩＤタグのうち、前記遮蔽部材が剥離された１つ以上の前記ＲＦＩＤタグにより識別される情報を前記リーダ装置により読み取り、
読み取った情報の内容および／または読み取った前記ＲＦＩＤタグの数に基づいて入力情報を判断する、情報入力システム。
【請求項５】
請求項１〜３のいずれか１項に記載のＲＦＩＤタグシートが装着された、収納用物品。
【請求項６】
複数のＲＦＩＤタグを組み込んだ電波透過素材からなる部分を含む収納用物品であって、
当該収納用物品の表面に前記各ＲＦＩＤタグの全部もしくは一部をそれぞれ覆い隠す状態で着脱可能に装着された遮蔽部材を有し、
前記遮蔽部材は、前記ＲＦＩＤタグとリーダ装置との間の通信に用いられる電磁波を遮蔽する素材からなる、収納用物品。
【請求項７】
請求項１〜３のいずれか１項に記載のＲＦＩＤタグシートからなる、情報表象媒体。
【発明の詳細な説明】
【技術分野】
【０００１】
本発明は、情報の入力や表示の技術に関し、特に、複数のＲＦＩＤ（Radio Frequency IDentification）タグを利用してこれらを行うＲＦＩＤタグシート、情報入力システム、収納用物品、および情報表象媒体に適用して有効な技術に関するものである。
【背景技術】
【０００２】
例えば、生産現場での工程管理などにおいては、工程毎の進捗状況の把握や生産機械等に対する指示、不良数等の情報の入力などを各工程の担当者が容易に行えるようにするため、これらの情報を識別可能なＲＦＩＤタグを内蔵する工程管理カード等を用いて、これをリーダ装置に読み取らせることで入力を行う仕組みが知られている。【０００３】
例えば、特開２００４−２９５４０１号公報（特許文献１）および非特許文献１には、所定の工程毎に工程管理情報を記憶したＩＣ領域と、該記憶した工程管理情報を可視情報として書き換え可能に表示する書き換え領域とを有し、各工程に対応付けられ且つ書き換え領域に表示された可視情報を書き換えするためのリライタブル装置に通信手段を介してアクセス可能とされ、工程選択手段、工程管理情報読出手段、書換指示手段を有し、アクセスしたリライタブル装置に対応した工程をＩＣ領域の中から選択し、選択した工程に応じた工程管理情報を読み出し、その工程管理情報に基づいて書き換え領域を書き換えるようにリライタブル装置に指示する情報記録媒体が記載されている。
【先行技術文献】
【特許文献】
【０００４】
【特許文献１】特開２００４−２９５４０１号公報
【非特許文献】
【０００５】
【非特許文献１】“ＲＥＣＯ−Ｖｉｅｗ（登録商標）とは”、［online］、株式会社リコー、［平成２５年２月２７日検索］、インターネット＜URL：http://www.ricoh.co.jp/thermal/recoview/about/＞
【発明の概要】
【発明が解決しようとする課題】
【０００６】
特許文献１に記載されたような従来技術では、工程毎にカード等のＲＦＩＤタグの内容に加えてカードの表示も書き換えて、これを読み取らせることで工程管理情報を入力することができる。【０００７】
しかしながら、このようなシステムでは、例えば、ＲＦＩＤタグのメモリを書き換えるために、書き込み機能を有するリーダ／ライタ装置が必要となるか、ＲＦＩＤタグのＩＤ情報に対応したデータをデータベース上で更新するなどの処理が必要となってしまう。ロットの不良数の入力など、軽微な情報を入力したいような場合でも、リーダ／ライタ装置による書き換えや、キーボード、タッチパネルなどの入力デバイスを用いた入力などが必要となることは、入力作業者にとって過大な負荷となり得る。【０００８】
そこで本発明の目的は、複数のＲＦＩＤタグを組み込んだシートやカード等を用いて、ＲＦＩＤタグの内容の書き換えや対応データの更新を不要とし、簡易な操作や構成で情報の入力を可能とするＲＦＩＤタグシート、情報入力システム、収納用物品、および情報表象媒体を提供することにある。【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、以下のとおりである。【００１１】
本発明の代表的な実施の形態によるＲＦＩＤタグシートは、複数のＲＦＩＤタグを組み込んだシート状の電波透過素材からなるＲＦＩＤタグシートであって、当該ＲＦＩＤタグシートの表面に前記各ＲＦＩＤタグの全部もしくは一部をそれぞれ覆い隠す状態で着脱可能に装着された遮蔽部材を有し、前記遮蔽部材は、前記ＲＦＩＤタグとリーダ装置との間の通信に用いられる電磁波を遮蔽する素材からなるものである。【００１２】
また、本発明は、上記のＲＦＩＤタグシートを用いた情報入力システム、収納用物品、および情報表象媒体にも適用することができる。
【発明の効果】
【００１３】
本願において開示される発明のうち、代表的なものによって得られる効果を簡単に説明すれば以下のとおりである。【００１４】
すなわち、本発明の代表的な実施の形態によれば、ＲＦＩＤタグを組み込んだシートやカード等を用いて、ＲＦＩＤタグの内容の書き換えや対応データの更新を不要とし、簡易な操作や構成で情報を入力することが可能となる。
【図面の簡単な説明】
【００１５】
【図１】本発明の一実施の形態であるＲＦＩＤタグシートの構成例について概要を示した斜視図である。
【図２】本発明の一実施の形態であるＲＦＩＤタグシートの構成例について概要を示した断面図である。
【図３】本発明の一実施の形態におけるＲＦＩＤタグシートをリーダ装置により読み取る場合の例について概要を示した図である。
【図４】本発明の一実施の形態における各ＲＦＩＤタグが識別する情報を予め表示しておく場合の例について概要を示した図である。
【図５】本発明の一実施の形態におけるＲＦＩＤタグシートを生産現場の工程管理における管理情報の入力に用いる場合の処理の流れの例について概要を示したフローチャートである。
【図６】本発明の一実施の形態における製品・ロットの特定と不良数の入力処理の流れの例について概要を示したフローチャートである。
【発明を実施するための形態】
【００１６】
以下、本発明の実施の形態を図面に基づいて詳細に説明する。なお、実施の形態を説明するための全図において、同一部には原則として同一の符号を付し、その繰り返しの説明は省略する。
【００１７】
本発明の一実施の形態であるＲＦＩＤタグシートは、例えば、シートやカードなどの物品（以下ではこれらを単に「シート」と総称する場合がある）に対して、それぞれ異なる所定の情報を識別可能なように情報が記録された複数のＲＦＩＤタグを配列して組み込み、各組み込み部分に対応するシートの表面をそれぞれシール等により遮蔽することで、リーダ装置により各ＲＦＩＤタグを読み取れないようにしたものである。
【００１８】
当該ＲＦＩＤタグシートを用いて、例えば上述のような工程管理におけるロットの不良数などの軽微かつ不定の情報を入力する場合は、入力対象の情報を識別可能なＲＦＩＤタグが組み込まれている部分を遮蔽しているシール等を剥離した上で、ＲＦＩＤタグシートをリーダ装置に読み取らせる。これにより、遮蔽が解除されたＲＦＩＤタグが識別する情報のみをリーダ装置により読み取って入力情報とすることができる。
【００１９】
図１および図２は、本発明の一実施の形態であるＲＦＩＤタグシートの構成例について概要を示した斜視図および断面図である。ＲＦＩＤタグシート１は、樹脂や紙、木材などの電波透過素材（例えばアクリルシートなど）により形成されるベースシート１０と、同様に電波透過素材（例えばポリエステルフィルムなど）により形成される保護シート２０とが接合されて構成される。ベースシート１０上には、複数のＲＦＩＤタグ１１が相互に重ならないように配列されており、この上から保護シート２０が接合されることで、ベースシート１０と保護シート２０との間にＲＦＩＤタグ１１が封止される。ＲＦＩＤタグ１１は、例えば、ＳＨＦ（Super High Frequency）帯域やＵＨＦ（Ultra High Frequency）帯域、ＨＦ（High Frequency）帯域に対応したパッシブタイプのものとする。
【００２０】
なお、本実施の形態では、ベースシート１０と保護シート２０とを接合してＲＦＩＤタグ１１を組み込んでいるが、ＲＦＩＤタグシート１の成形方法はこれに限らない。例えば、１枚のシートにＲＦＩＤタグ１１を挟んで折り畳むことで成形してもよいし、一体成形としてもよい。
【００２１】
本実施の形態では、さらに、ベースシート１０における各ＲＦＩＤタグ１１が配列された位置に対応する保護シート２０上の位置に、保護シート２０の表面側から見て各ＲＦＩＤタグ１１を覆って遮蔽する状態で遮蔽シール２１が剥離可能なように接着されている。例えば、図１における保護シート２０上で点線で示された位置、および図２における右側のＲＦＩＤタグ１１に対応する位置では、遮蔽シール２１が剥離された状態を示している。
【００２２】
遮蔽シール２１は、例えば、アルミなどのＳＨＦ波やＵＨＦ波、ＨＦ波を遮蔽する素材に対して粘着剤や接着剤等を塗布して構成される。剥離と貼付を繰り返すことが可能な粘着剤等や、面ファスナー等の接合用の部材を用いることにより、剥離した遮蔽シール２１を再度装着するなど着脱可能とし、ＲＦＩＤタグシート１を再利用できるようにしてもよい。なお、遮蔽シール２１は、ＲＦＩＤタグ１１の全体を覆い隠せるほどの大きさおよび形状であるものとする。
【００２３】
図３は、ＲＦＩＤタグシート１をリーダ装置により読み取る場合の例について概要を示した図である。ここでは、ＲＦＩＤタグシート１について図２の例の断面図により示している。ＲＦＩＤタグシート１の表面側、すなわち遮蔽シール２１が貼付されている側に対して、リーダ装置３０のアンテナ部３１をかざす、もしくは、アンテナ部３１に対してＲＦＩＤタグシート１の表面側をかざすことで、リーダ装置３０によりＲＦＩＤタグシート１に組み込まれている各ＲＦＩＤタグ１１の情報を読み取る。
【００２４】
ここで、遮蔽シール２１によって遮蔽されているＲＦＩＤタグ１１（図中の左側の２つ）については、アンテナ部３１から出力された通信用のＳＨＦ波やＵＨＦ波、ＨＦ波が遮蔽シール２１によって遮蔽されるため、リーダ装置３０とＲＦＩＤタグ１１との間の通信が確立しないことを示している。従って、リーダ装置３０はこれらのＲＦＩＤタグ１１を認識する（情報を読み取る）ことができない。一方、遮蔽シール２１によって遮蔽されていないＲＦＩＤタグ１１（図中の右側の１つ）については、リーダ装置３０との間の通信が確立して情報を読み取ることができることを示している。
【００２５】
本実施の形態では、図３の例に示したように、ベースシート１０上に配列されたＲＦＩＤタグ１１を保護シート２０により封止し、その表面を遮蔽シール２１で覆うことで、リーダ装置３０とＲＦＩＤタグ１１との間の通信が確立しないようにする遮蔽効果を得ているが、遮蔽シール２１を貼付することによって、ＲＦＩＤタグ１１のアンテナ部分と、遮蔽シール２１とが十分近接し、短絡の効果が得られるため、遮蔽効果をより向上させることができる。
【００２６】
本実施の形態では、ＲＦＩＤタグシート１に組み込まれた各ＲＦＩＤタグ１１に対して、予め、入力対象の候補となる情報（例えば、数字や文字、記号など）を識別可能なように設定しておく。これにより、入力したい情報を識別可能なＲＦＩＤタグ１１の位置に対応する遮蔽シール２１を剥離した上で、ＲＦＩＤタグシート１をリーダ装置３０により読み取ることで、入力したい情報を入力することが可能となる。入力対象の候補となる情報は、例えば、それぞれ直接各ＲＦＩＤタグ１１に書き込んでおいてもよいし、各ＲＦＩＤタグ１１のＩＤ情報に関連付けて図示しないサーバ上のデータベース等に設定しておいてもよい。
【００２７】
ここで、ＲＦＩＤタグ１１により識別される情報（入力対象の情報）は、ＲＦＩＤタグ１１やサーバ上に保持されており、そのままでは視認することができない。例えば、特許文献１に記載された技術では、ＲＦＩＤタグを組み込んだ媒体が電子ペーパーからなる表示手段を有しており、ＲＦＩＤタグが識別する情報をリーダ／ライタ装置により書き換える際に、表示部に表示される内容も当該情報を示す値に書き換えることで、ＲＦＩＤタグが識別する情報を可視化する。しかしながら、このような手法の場合、ＲＦＩＤタグが識別する情報および電子ペーパーの表示内容の双方を書き換える手段が必要となってしまう。
【００２８】
これに対し、本実施の形態では、ＲＦＩＤタグシート１に組み込んだ複数のＲＦＩＤタグ１１が識別する情報をそれぞれＲＦＩＤタグシート１の対応する位置上に予め印刷等により表示しておくことで可視化する。図４は、各ＲＦＩＤタグ１１が識別する情報を予め表示しておく場合の例について概要を示した図である。図４の例に示したように、ＲＦＩＤタグシート１において、各遮蔽シール２１の表面に、対応する位置のＲＦＩＤタグ１１が識別する情報（例えば、図４の例では“１”〜“９”の整数）を予め印刷等により表示しておく。これにより、ＲＦＩＤタグシート１により入力することが可能な情報を利用者が視覚的に容易に把握することができる。
【００２９】
また、各遮蔽シール２１が貼付されている部分の保護シート２０上にも、当該遮蔽シール２１に表示されている情報と同じ情報を予め印刷等により表示しておく。これにより、情報を入力するために遮蔽シール２１が剥離された場合でも、どの情報が入力対象となったのか（どの遮蔽シール２１が剥離されたのか）を視覚的に容易に把握することが可能となる（図４の例では“６”）。また、ＲＦＩＤタグ１１の内容や、ＲＦＩＤタグシート１上の表示を書き換えることなく、すなわち、書き換えのための装置等の手段を要さず、異なる内容の情報を適宜入力することが可能となる。
【００３０】
なお、図４の例では、“１”〜“９”の整数を入力するため、遮蔽シール２１（および対応するＲＦＩＤタグ１１）を３行３列で９個配列しているが、配列数や配列位置などはこれに限らない。また、入力対象の情報（遮蔽シール２１や保護シート２０上に表示される情報）も、数字以外に文字や記号、文章、図形や画像イメージなど、各種のものを利用環境に応じて適宜使用することができる。
【００３１】
また、図４の例では、“６“を入力したい場合に“６“が表示された遮蔽シール２１を剥離した状態を示しているが、パッシブタイプのＲＦＩＤタグ１１を用いていることから、リーダ装置３０により複数のＲＦＩＤタグ１１を同時に読み取ることができる特性を有しているため、複数の遮蔽シール２１を剥離して入力対象とすることも可能である。この場合、遮蔽シール２１が剥離された各ＲＦＩＤタグ１１が識別する情報の組み合わせにより入力データを決定してもよいし、例えば入力対象の情報が数字である場合は、遮蔽シール２１が剥離された各ＲＦＩＤタグ１１が識別する情報（数字）のうち、最大のものを入力データとして決定してもよい。
【００３２】
本実施の形態のＲＦＩＤタグシート１の利用場面として、例えば、生産現場の工程管理業務において各工程を管理・把握するために用いることが考えられる。工程管理業務では、各種管理情報を取得するためにＲＦＩＤタグを用いた工程管理システムが用いられる場合がある。このようなシステムでは、一般的に、管理情報を識別可能なＲＦＩＤタグが組み込まれた工程管理カードや伝票等をリーダ装置により読み取ることで、各工程についての作業者、製品、ロット番号、工程、時刻、および不良数などの付加情報を取得する。
【００３３】
本実施の形態では、ＲＦＩＤタグシート１を工程管理業務に用いる場合として、例えば、図４の例に示すように、不良数などの数字を入力するための“１”〜“９”の整数に対応したＲＦＩＤタグ１１の配列に加えて、最下段部の“ロット番号”と表示された部分に、ロット番号を識別可能な情報が設定されたＲＦＩＤタグ１１が組み込まれている。ロット番号については、固定の情報となるため、特に遮蔽シール２１により遮蔽しておく必要はない。
【００３４】
図５は、本実施の形態のＲＦＩＤタグシート１を生産現場の工程管理における管理情報の入力に用いる場合の処理の流れの例について概要を示したフローチャートである。ここでは、上述したように、例えば、ロットの不良数などの軽微かつ可変な情報を入力する場合に、本実施の形態のＲＦＩＤタグシート１を用いて入力を行う場合を示している。
【００３５】
各工程での工程管理処理では、まず、作業者の情報を特定する（Ｓ１０）。ここでは、例えば、作業者が保持するＩＤカード、入館証などのＩＣカード４２の情報や、これらに組み込まれているＲＦＩＤタグの情報を、工程管理に係る情報入力システムとしての工程管理システムがリーダ装置３０等により読み取って取得する。さらに、取得したＩＤ情報等に基づいて、作業者の情報を保持するデータベース（作業者ＤＢ４１）等を参照して認証処理を行うとともに、当該作業者を特定する情報を取得する。
【００３６】
次に、工程の情報を特定する（Ｓ２０）。ここでは、例えば、当該生産現場に設置されたリーダ装置３０の制御番号や識別番号、機器番号などの情報を、工程管理システムが当該リーダ装置３０から取得する。さらに、取得した制御番号等に基づいて、工程の情報を保持するデータベース（工程ＤＢ４３）等を参照して、当該工程を特定する情報を取得する。さらに、システム時計４４等から時刻の情報を取得して特定する（Ｓ３０）。
【００３７】
その後、作業者が管理対象の製品やロット等を特定するとともに、当該工程での不良数の情報を入力する（Ｓ４０）。ここでは、上述したように、生産指示カードや工程管理カード等として実装されている本実施の形態のＲＦＩＤタグシート１を用いて簡易な処理により入力を行う。ステップＳ４０での処理内容については後述する。
【００３８】
その後、ステップＳ１０〜Ｓ４０において取得した作業者、製品、ロット番号、工程、時刻、不良数などの情報を、生産工程の実績の情報を記録するデータベース（実績ＤＢ４６）に記録、蓄積して（Ｓ５０）、当該工程での工程管理処理を終了する。
【００３９】
図６は、工程管理業務における製品・ロットの特定と不良数の入力処理（Ｓ４０）の流れの例について概要を示したフローチャートである。製品・ロットの特定と不良数の入力処理では、まず、作業者がロットの不良数を目視等により確認、把握する（Ｓ４１）。次に、作業者は、例えば、製品自体に付されたり、生産指示カード、工程管理カードなどとして実装されたりしているＲＦＩＤタグシート１において、確認した不良数に対応する数字を表示している遮蔽シール２１を剥離する（Ｓ４２）。
【００４０】
図４の例に示したような数字を入力するためのＲＦＩＤタグシート１の場合は、最終的に確認できた不良数（例えば“３”）に対応する遮蔽シール２１を直接剥離してもよいし、不良品が発見される毎に“１”から順に遮蔽シール２１を順次剥離していくようにしてもよい。図６の左側に示したＲＦＩＤタグシート１の例では、例えば、“１”から順に“３”まで遮蔽シール２１を剥離した場合を示している。
【００４１】
次に、遮蔽シール２１が剥離された状態のＲＦＩＤタグシート１をリーダ装置３０により読み取る（Ｓ４３）。ここでは、上述したように、遮蔽シール２１が剥離されて読み取りが可能となった１つ以上のＲＦＩＤタグ１１の内容に加えて、ロット番号”部分のＲＦＩＤタグ１１など、ロット番号を識別可能な情報が設定されたＲＦＩＤタグ１１の内容を、工程管理システムがリーダ装置３０により一括して読み取った上で、各ＲＦＩＤタグ１１が識別する情報を、ＲＦＩＤタグ１１上のメモリやサーバ上のデータベース等から取得する。
【００４２】
次に、対象の製品およびロットの情報を特定する（Ｓ４４）。必要に応じて、ステップＳ４３で読み取ったロット番号等の情報に基づいて、例えば、製品やロットなどの情報を含む生産指示等の情報を保持するデータベース（指図ＤＢ４５）等を参照して、当該製品やロットを特定する情報を取得する。
【００４３】
また、ステップＳ４３で読み取った、遮蔽シール２１が剥離された部分のＲＦＩＤタグ１１により識別可能な値のうち最も大きなもの（図６の左側に示したＲＦＩＤタグシート１の例では“３”）を判定して、これを不良数とし（Ｓ４５）、不良数入力処理を終了する。得られた不良数の情報は、図５のステップＳ６０において他の工程管理情報とともに実績ＤＢ４７に記録される。
【００４４】
なお、上述したように、不良数の入力のために遮蔽シール２１を剥離したＲＦＩＤタグシート１は、剥離した遮蔽シール２１を再度対応する位置に貼付することで再利用することが可能である。また、保護シート２０全体を剥離等により取り外し、遮蔽シール２１が全て貼付された新しい保護シート２０を接着等により取り付けて交換することで再利用可能としてもよい。
【００４５】
以上に説明したように、本発明の一実施の形態であるＲＦＩＤタグシート１は、例えば、シート状の物品に対して、それぞれ異なる所定の情報を識別可能なように情報が記録された複数のＲＦＩＤタグ１１を配列して組み込み、各組み込み部分に対応するシートの表面をそれぞれ遮蔽シール２１により遮蔽することで、リーダ装置３０により各ＲＦＩＤタグ１１を読み取れないようにしておく。
【００４６】
このＲＦＩＤタグシート１により情報を入力する場合は、入力対象の情報を識別可能なＲＦＩＤタグ１１に対応する遮蔽シール２１を剥離した上で、ＲＦＩＤタグシート１をリーダ装置３０に読み取らせるという簡易な操作により、遮蔽が解除されたＲＦＩＤタグ１１が識別する情報のみをリーダ装置３０により読み取って入力情報とすることが可能となる。また、剥離した遮蔽シール２１を再度貼付する等により、ＲＦＩＤタグシート１を容易に再利用することが可能となる。すなわち、遮蔽シール２１の剥離・貼付により、入力対象の情報を適宜変化させることが可能となる。
【００４７】
また、各ＲＦＩＤタグ１１が識別可能な情報（入力対象の情報）を、対応する遮蔽シール２１および保護シート２０の対応部分に予め印刷等により表示しておくことで、入力対象の情報、もしくはＲＦＩＤタグシート１が表象する情報の内容が変化した場合でも、これを容易に可視化することが可能となる。また、各ＲＦＩＤタグ１１により識別される情報を書き換えたり変更したりするための手段が不要となるなど、システム構成も簡略化することが可能となる。
【００４８】
以上、本発明者によってなされた発明を実施の形態に基づき具体的に説明したが、本発明は上記の実施の形態に限定されるものではなく、その要旨を逸脱しない範囲で種々変更可能であることはいうまでもない。例えば、上記の実施の形態は本発明を分かりやすく説明するために詳細に説明したものであり、必ずしも説明した全ての構成を備えるものに限定されるものではない。また、上記の実施の形態の構成の一部について、他の構成の追加・削除・置換をすることが可能である。
【００４９】
例えば、上記の実施の形態では、工程管理システムにおける製品の不良数の入力のためにＲＦＩＤタグシート１からなる工程管理カードを用いているが、これに限られない。例えば、在庫管理システムにおいて、部品等を収納する棚や容器などの収納用物品にＲＦＩＤタグシート１を取り付けておき、取り出した部品の数だけ遮蔽シール２１を順次剥離していけば、在庫数を容易に把握することができ、個々の部品等にＲＦＩＤタグを取り付けなくても容易に棚卸を行うことが可能となる。この場合は、遮蔽シール２１が剥離された複数のＲＦＩＤタグ１１によって識別された数値のうち最大のものによってではなく、何個のＲＦＩＤタグ１１が読み取られたか（何枚の遮蔽シール２１が剥離されたか）によって入力情報を得るようにしてもよい。
【００５０】
また、上記の例において、情報記録媒体たるシート状のＲＦＩＤタグシート１を棚等に取り付けるのではなく、棚や容器などの収納用物品自体の面状部分に直接ＲＦＩＤタグを配列して組み込んでおき、各ＲＦＩＤタグ部分を遮蔽シールで遮蔽することで、本実施の形態のＲＦＩＤタグシート１と同様の構造を棚や容器に対して直接構成して、棚や容器自体を情報記録媒体とすることも可能である。
【００５１】
また、適用分野についても、生産現場での工程管理や在庫管理などに限られない。他の分野への適用として、例えば、ＲＦＩＤタグシート１をビンゴゲームで用いられるビンゴカード等に利用することができる。この場合、各ビンゴカードに組み込まれたＲＦＩＤタグ１１は、予めランダムに決定された異なる数字と、当該ＲＦＩＤタグ１１の当該ビンゴカードにおけるマス目状の位置（行・列）の情報を識別可能なように設定しておき、遮蔽シール２１および保護シート２０の対応部分には、対応するＲＦＩＤタグ１１に設定された数字を表示しておく。
【００５２】
ゲームでは、抽選された番号をＰＣ等からなるシステムに登録していくとともに、参加者は、自身のビンゴカード中に抽選された番号が存在する場合、当該番号を表示している遮蔽シール２１を剥離する。当選確認の際には、ビンゴカードをリーダ装置３０で読み取るだけで、識別された複数の数字および位置の情報に基づいて当該システムによって容易に当選の有無を判断することができる。
【００５３】
また、ＲＦＩＤタグシート１により表象・表示し、入力対象とする情報は、数値情報に限られない。例えば、品質検査業務などに適用する場合は、“良”、“不良”などの検査結果の情報を表示し、入力対象とすることができる。また、果物等の出荷検査業務などに適用する場合は、“Ｓ”、“Ｍ”、“Ｌ”などのサイズ情報を表示し、入力対象とすることができる。また、入場チケットなどに適用する場合は、“入場済み”、“一時退場”、“再入場”などの情報を状態の変化に応じて表示し、入力対象とすることができる。すなわち、本実施の形態のＲＦＩＤタグシート１は、このような各種情報を表象し、入力対象とするようなカードや伝票等の情報表象媒体に適宜利用することができる。
【産業上の利用可能性】
【００５４】
本発明は、複数のＲＦＩＤタグを利用して情報の入力や表示を行うＲＦＩＤタグシート、情報入力システム、収納用物品、および情報表象媒体に利用可能である。
【符号の説明】
【００５５】
１…ＲＦＩＤタグシート、
１０…ベースシート、１１…ＲＦＩＤタグ、
２０…保護シート、２１…遮蔽シール、
３０…リーダ装置、３１…アンテナ部、
４１…作業者ＤＢ、４２…ＩＣカード、４３…工程ＤＢ、４４…システム時計、４５…指図ＤＢ、４６…実績ＤＢ。
【図１】
0005893799.tif 000002
【図２】
0005893799.tif 000003
【図３】
0005893799.tif 000004
【図４】
0005893799.tif 000005
【図５】
0005893799.tif 000006
【図６】
0005893799.tif 000007